【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
イメージングゾーン内の被検者から磁気共鳴データを取得するための磁気共鳴イメージングシステムであって、前記磁気共鳴イメージングシステムは、
−  機械実行可能命令と、前記磁気共鳴データを取得するために前記磁気共鳴イメージングシステムを制御するパルスシーケンスを表すパルスシーケンスデータとを保存するメモリであって、前記パルスシーケンスデータが、複数の反復周期に亘って行われるマルチスライス取得として前記磁気共鳴データを取得するように前記磁気共鳴イメージングシステムを制御する、メモリと、
−  前記磁気共鳴イメージングシステムを制御するためのプロセッサと
を含み、
前記機械実行可能命令の実行は、前記プロセッサに、
・  前記パルスシーケンスデータを用いて第１の反復周期中に前記磁気共鳴データの第１のスライスグループを取得させ、
・  前記第１のスライスグループから第１の中心ｋ空間データを抽出させ、
・  前記第１の中心ｋ空間データを用いて、画像空間における第１の３次元ナビゲータとして第１のナビゲータデータを再構築させ、
前記機械実行可能命令の実行は、前記プロセッサに繰り返し、
・  前記パルスシーケンスデータを用いて後続の反復周期中に前記磁気共鳴データの後続スライスグループを取得させ、
・  前記後続スライスグループから後続中心ｋ空間データを抽出させ、
・  前記後続中心ｋ空間データを用いて、前記画像空間における後続３次元ナビゲータとして後続ナビゲータデータを再構築させ、
・  前記第１のナビゲータデータと前記後続ナビゲータデータとの間の３次元変換を行うことによって、前記第１のナビゲータデータから前記後続ナビゲータデータへのマッピングを決定させ、及び
・  前記マッピングを用いて前記磁気共鳴データの次のスライスグループの取得を補正させる、磁気共鳴イメージングシステム。
【請求項２】
前記磁気共鳴データは、複数のスライスを含み、前記マッピングを用いた前記磁気共鳴データの前記次のスライスグループの前記取得の前記補正は、前記複数のスライスの各々内の前記被検者の面内の剛体の動き及び前記複数のスライス間の面貫通方向の剛体の動きを補正する、請求項１に記載の磁気共鳴イメージングシステム。
【請求項３】
前記機械実行可能命令の実行は、前記プロセッサに、前記マッピングを用いてスキャンパラメータ調整を計算させ、前記マッピングを用いた前記磁気共鳴データの前記次のスライスグループの前記取得の前記補正は、少なくとも部分的に、前記スキャンパラメータ調整を用いて前記磁気共鳴データの前記次のスライスグループの前記取得を変更することによって行われる、請求項１又は２に記載の磁気共鳴イメージングシステム。
【請求項４】
前記機械実行可能命令の実行は更に、前記プロセッサに、前記マッピングが所定の削除閾値を超える変換を有するか否かを決定させ、剛体変換を用いた前記磁気共鳴データの前記次のスライスグループの前記取得の前記補正は、少なくとも部分的に、前記磁気共鳴データから前記磁気共鳴データの前記後続スライスグループを削除することによって行われる、請求項１、２又は３に記載の磁気共鳴イメージングシステム。
【請求項５】
前記機械実行可能命令の実行は更に、前記プロセッサに、前記マッピングが所定の再取得閾値を超える変換を有するか否かを決定させ、剛体変換を用いた前記磁気共鳴データの前記次のスライスグループの前記取得の前記補正は、少なくとも部分的に、前記磁気共鳴データの前記後続スライスグループを再取得することによって行われる、請求項１、２又は３に記載の磁気共鳴イメージングシステム。
【請求項６】
前記パルスシーケンスデータは、前記磁気共鳴イメージングシステムに複数のスライス間の間隙無しに前記磁気共鳴データを取得させ、前記機械実行可能命令の実行は更に、前記プロセッサに、前記磁気共鳴データの前記後続スライスグループの位置を反復的に補正することによって、前記磁気共鳴データ及び剛体変換を用いて磁気共鳴画像を再構築させる、請求項１乃至５の何れか一項に記載の磁気共鳴イメージングシステム。
【請求項７】
前記マッピングは、剛体変換、変形可能体変換、関心領域に関する剛体変換、及び周辺領域に関して変形可能体変換を用いた前記関心領域に関する剛体変換の何れか１つである、請求項１に記載の磁気共鳴イメージングシステム。
【請求項８】
前記磁気共鳴イメージングシステムは、前記磁気共鳴データを取得するための多素子無線周波コイルを含み、前記パルスシーケンスは、パラレルイメージング技術であり、前記機械実行可能命令の実行は更に、前記プロセッサに、
−  前記多素子無線周波コイルのコイル感度のセットを受信させ、
−  前記コイル感度のセットを用いて第１の３次元ナビゲータ画像を展開させ、及び
−  前記コイル感度のセットを用いて後続の３次元ナビゲータ画像を展開させる、請求項１又は７に記載の磁気共鳴イメージングシステム。
【請求項９】
前記機械実行可能命令の実行は、前記プロセッサに、
−  第１の面に沿って第１の３次元ナビゲータ画像をスライスすることによって第１の２次元画像を計算させ、
−  第２の面であって、前記第２の面の位置は、前記マッピングを前記第１の面に適用することによって決定される、第２の面に沿って後続の３次元ナビゲータ画像をスライスすることによって後続の２次元画像を計算させ、
−  前記第１の２次元画像と前記後続の２次元画像との間の面内変形可能体変換を計算させ、及び
−  変形可能体変換が所定量を超える前記被検者の動きを示す場合には、前記磁気共鳴データの前記後続スライスグループのスライス部分を再取得又は削除させる、請求項７又は８に記載の磁気共鳴イメージングシステム。
【請求項１０】
前記第１のナビゲータデータは、第１のｋ空間ナビゲータであり、第２のナビゲータデータは、第２のｋ空間ナビゲータである、請求項１乃至６の何れか一項に記載の磁気共鳴イメージングシステム。
【請求項１１】
前記パルスシーケンスデータは、以下の磁気共鳴イメージング技術：PROPELLER、ラジアル高速スピンエコー、選択スパイラル高速スピンエコー、及び高速フィールドエコーの何れか１つを行うためのコマンドを含む、請求項１乃至１０の何れか一項に記載の磁気共鳴イメージングシステム。
【請求項１２】
前記機械実行可能命令の実行は、前記プロセッサに、前記マッピングの決定後に、前記第１のナビゲータデータを前記後続ナビゲータデータに置き換えさせる、請求項１乃至１１の何れか一項に記載の磁気共鳴イメージングシステム。
【請求項１３】
イメージングゾーン内の被検者から磁気共鳴データを取得するための磁気共鳴イメージングシステムを制御するプロセッサによって実行する機械実行可能命令を含むコンピュータプログラムであって、前記磁気共鳴イメージングシステムは、パルスシーケンスデータを保存するメモリを含み、前記パルスシーケンスデータは、前記磁気共鳴データを取得するように前記磁気共鳴イメージングシステムを制御する命令を含み、前記パルスシーケンスデータは、複数の反復周期に亘って行われるマルチスライス取得として前記磁気共鳴データを取得するように前記磁気共鳴イメージングシステムを制御し、前記機械実行可能命令の実行は、前記プロセッサに、
−  前記パルスシーケンスデータを用いて第１の反復周期中に前記磁気共鳴データの第１のスライスグループを取得させ、
−  前記第１のスライスグループから第１の中心ｋ空間データを抽出させ、
−  前記第１の中心ｋ空間データを用いて、画像空間における第１の３次元ナビゲータとして第１のナビゲータデータを再構築させ、
前記機械実行可能命令の実行は、前記プロセッサに繰り返し、
−  前記パルスシーケンスデータを用いて後続の反復周期中に前記磁気共鳴データの後続スライスグループを取得させ、
−  前記後続スライスグループから後続中心ｋ空間データを抽出させ、
−  前記後続中心ｋ空間データを用いて、前記画像空間における後続３次元ナビゲータとして後続ナビゲータデータを再構築させ、
−  前記第１のナビゲータデータと前記後続ナビゲータデータとの間の３次元変換を行うことによって、前記第１のナビゲータデータから前記後続ナビゲータデータへのマッピングを決定させ、及び
−  前記マッピングを用いて前記磁気共鳴データの次のスライスグループの取得を補正させる、コンピュータプログラム。
【請求項１４】
イメージングゾーン内の被検者から磁気共鳴データを取得するための磁気共鳴イメージングシステムを動作させる方法であって、前記方法は、
−  パルスシーケンスデータを用いて第１の反復周期中に前記磁気共鳴データの第１のスライスグループを取得するステップであって、前記パルスシーケンスデータは、前記磁気共鳴データを取得するように前記磁気共鳴イメージングシステムを制御する命令を含み、前記パルスシーケンスデータは、複数の反復周期に亘って行われるマルチスライス取得として前記磁気共鳴データを取得するように前記磁気共鳴イメージングシステムを制御する、ステップと、
−  前記第１のスライスグループから第１の中心ｋ空間データを抽出するステップと、
−  前記第１の中心ｋ空間データを用いて、画像空間における第１の３次元ナビゲータとして第１のナビゲータデータを再構築するステップと
を含み、更に、
−  前記パルスシーケンスデータを用いて後続の反復周期中に前記磁気共鳴データの後続スライスグループを取得するステップと、
−  前記後続スライスグループから後続中心ｋ空間データを抽出するステップと、
−  前記後続中心ｋ空間データを用いて、前記画像空間における後続３次元ナビゲータとして後続ナビゲータデータを再構築するステップと、
−  前記第１のナビゲータデータと前記後続ナビゲータデータとの間の３次元変換を行うことによって、前記第１のナビゲータデータから前記後続ナビゲータデータへのマッピングを決定するステップと、
−  前記マッピングを用いて前記磁気共鳴データの次のスライスグループの取得を補正するステップと、
を繰り返し行うことを含む、方法。